(57)【特許請求の範囲】
【請求項１】
壁紙を貼着する壁面または天井面に取り付けられる金属部材と、
前記壁面または天井面に連続して前記壁紙を貼着するために前記金属部材上に貼着した壁紙貼着用シートと、
を備え、
前記壁紙貼着用シートは、一対の紙間強化紙の間に防湿樹脂層を狭持した積層シートで構成されていることを特徴とする建材。
【請求項２】
前記防湿樹脂層は、透湿度が１０ｇ／ｍ２・２４ｈｏｕｒｓ相当のオレフィン系樹脂で構成されている請求項１に記載された建材。
【請求項３】
壁面または天井面に壁紙を貼着した壁構造であって、
前記壁面または天井面に取り付けられた金属部材と、
前記壁面または天井面に連続して前記壁紙を貼着するために前記金属部材上に貼着した壁紙貼着用シートと、を備え、
前記壁紙貼着用シートは、一対の紙間強化紙の間に防湿樹脂層を狭持した積層シートで構成され、
前記壁面または天井面と前記金属部材とに前記壁紙を貼着したことを特徴とする壁構造。
【請求項４】
前記金属部材はＬＥＤ照明器具の型材である請求項３に記載された壁構造。
【請求項５】
金属部材と、前記金属部材に塗布した第一接着剤と、前記第一接着剤を介して金属部材に接着した一対の紙間強化紙の間に防湿樹脂層を狭持した積層シートで構成されている壁紙貼着用シートと、を積層した建材に対して、
前記壁紙貼着用シートの表面に澱粉を主成分とする第二接着剤を介して壁紙を接着するようにしたことを特徴とする壁紙施工方法。
【発明の詳細な説明】
【技術分野】
【０００１】
本発明は、例えば照明器具を取り付けたアルミ型材等の金属部材を室内の壁や天井等に取り付けて壁紙を接着できるようにした建材、壁構造及び壁紙施工方法に関する。
【背景技術】
【０００２】
従来、部屋内の間接照明において代表的な照明構造として例えばコーニス照明やコーブ照明等が知られている。図６に示すコーニス照明構造は、天井下地材１０１から野縁１０２の側部に形成した凹部空間１０３を木工造作で現場加工し、この凹部空間１０３内の側面に照明器具１０４を設置して対向する壁面での反射光で室内を照明している。照明器具１０４の下側には木工で遮蔽部材１０５を取り付け、部屋内から照明器具１０４を目視しにくいようにして間接照明を実現している。
また、図７に示すコーブ照明では、天井近傍の壁下地材１０６に木工造作で上向きの受け部１０７を形成し、受け部１０７に照明器具１０４を取り付けて天井を照明し、その反射光で室内を照明するようにしている。
これらの場合、現場施工で、凹部空間１０３や遮蔽部材１０５、受け部１０７等の少なくとも室内から目視できる面に、天井下地材１０１や壁下地材１０６と共に壁紙１０８を汎用の澱粉のりで貼りつけて見栄えを良くしている。
【０００３】
また、特許文献１に記載された間接照明用の構造では、天井に設けた開口から天井裏に壁面部材を取り付けて壁面にねじ固定し、壁面部材の上面壁に下向きに照明灯を取り付けると共に壁面部材を長さ調整可能に保持している。
また、特許文献２に記載されたクロス貼り施工方法では、金属部材にプライマを塗布することなく樹脂エマルジョンとデンプン系接着剤とを主成分とする接着剤を介して直接クロス貼りをしている。
【先行技術文献】
【特許文献】
【０００４】
【特許文献１】実開平７−１８３１３号公報
【特許文献２】特開２０１２−８７５８７号公報
【発明の概要】
【発明が解決しようとする課題】
【０００５】
しかしながら、上述した木材による間接照明は木工造作であるために現場施工になり、個別に凹部空間１０３や遮蔽部材１０５を施工したり受け部１０７を施工したりすること等が必要であり、施工が煩雑で手間がかかる欠点があった。
これに対し、特許文献１に記載された間接照明用の壁面部材は、アルミ製型材で工場などで製作できるため低廉であり、施工も木工造作と比較して簡単であった。しかしながら、間接照明用の壁面部材を開口を通して天井裏内に設置しているため、現場での施工時には作業者は天井裏部にも作業が及び、工事に手間がかかり煩雑であった。仮にこれらの壁面部材を天井の下側に露出させた場合であっても、アルミ製型材が観者の目に触れるため意匠上の見栄えがよくないという欠点があった。
しかも、意匠性向上のためにアルミ製型材に壁紙を貼るとしても、現場で広く使用されている汎用の澱粉のりを介して壁紙をアルミ製型材に接着することはできなかった。
【０００６】
また、特許文献２に記載されたものでは、下地の金属部材にプライマを塗布することなく樹脂エマルジョンとデンプン系接着剤とを主成分とする接着剤を介して直接クロス貼りする技術が提案されているが、この接着剤は高価である上に汎用品ではなく施工現場で入手することが困難であった。
【０００７】
本発明は、このような課題に鑑みてなされたものであって、金属部材に対して現場での施工が容易で外観上の見栄えがよい建材、壁構造及び壁紙施工方法を提供することを目的とする。
【課題を解決するための手段】
【０００８】
本発明による建材は、壁紙を貼着する壁面または天井面に取り付けられる金属部材と、壁面または天井面に連続して壁紙を貼着するために金属部材上に貼着した壁紙貼着用シートと、を備え、前記壁紙貼着用シートは、一対の紙間強化紙の間に防湿樹脂層を狭持した積層シートで構成されていることを特徴とする。
本発明では、壁紙貼り付け用の建材として金属部材に壁紙貼着用シートを接着して形成したため、施工現場等で、壁面または天井面に取り付けた金属部材上に貼着した壁紙貼着用シートに壁紙を接着することができ、金属部材に対する壁紙の接着が容易で低コストである。
また、前記防湿樹脂層は、透湿度が１０ｇ／ｍ２・２４ｈｏｕｒｓ相当のオレフィン系樹脂で構成されていてもよい。
【０００９】
本発明による壁構造は、壁面または天井面に壁紙を貼着した壁構造であって、壁面または天井面に取り付けられた金属部材と、前記壁面または天井面に連続して前記壁紙を貼着するために前記金属部材上に貼着した壁紙貼着用シートと、を備え、前記壁紙貼着用シートは、一対の紙間強化紙の間に防湿樹脂層を狭持した積層シートで構成され、壁面または天井面と金属部材とに壁紙を貼着したことを特徴とする。
本発明では、壁面または天井面と金属部材とに壁紙を容易に貼着できる。その際、金属部材は壁面または天井面の幅方向の全長に亘って取り付けられていてもよく、これらに壁紙を貼り付けたため外観の見栄えと意匠性も良い。
汎用の接着剤等では金属部材に直接壁紙を貼着できないが、壁紙貼着用シートを貼着しておけば、施工現場等において壁紙貼着用シートの上に汎用の接着剤等を用いて金属部材に壁紙を容易に貼着できる。
【００１１】
また、金属部材はＬＥＤ照明器具の型材であることが好ましい。
本発明によれば、天井または壁面に取り付けた金属部材としてＬＥＤ照明器具を設置して例えば間接照明に用いれば、金属部材の目視し易い下面や側面等に壁紙を接着することができる。
【００１２】
本発明による壁紙施工方法は、金属部材と、金属部材に塗布した第一接着剤と、第一接着剤を介して金属部材に接着した一対の紙間強化紙の間に防湿樹脂層を狭持した積層シートで構成されている壁紙貼着用シートと、を積層した建材に対して、壁紙貼着用シートの表面に澱粉を主成分とする第二接着剤を介して壁紙を接着するようにしたことを特徴とする。
本発明によれば、澱粉を主成分とする第二接着剤で金属部材に壁紙を直接接着できなくても第一接着剤を介して、澱粉を主成分とする第二接着剤を接着できる壁紙貼着用シートを金属部材に接着したため、壁紙貼着用シートに汎用の第二接着剤を介して壁紙を接着することができる。
【発明の効果】
【００１３】
本発明による建材、壁構造及び壁紙施工方法では、壁面または天井面と金属部材とに壁紙を貼着することができるため壁紙を貼り付けた外観の見栄えが良く意匠性が良好である。
しかも、本発明では、照明器具等の各種の器具を備えた金属部材に貼り付けた壁紙貼着用シートを壁紙貼着用の下地材に用いることができるため、現場等で汎用性の高い接着剤を用いて簡単且つ低廉に壁紙の貼り付け施工が行える。
【図面の簡単な説明】
【００１４】
【図１】（ａ）は本発明の第一実施形態による照明部材を天井角部に取り付けた構成を示す断面図、（ｂ）は同図（ａ）のＡ部拡大図を示す断面図である。
【図２】（ａ）は図１に示す照明部材に壁紙を貼着する積層構造を示す模式図であり、（ｂ）は壁紙貼着用シートの拡大断面図である。
【図３】第二実施形態による照明部材を天井角部に取り付けた構成を示す断面図、（ｂ）は同図（ａ）のＢ部拡大図を示す断面図である。
【図４】第三実施形態による照明部材を壁面に取り付けた構成とそのＣ部拡大図を示す断面図である。
【図５】第四実施形態による照明部材を壁面に取り付けた構成を示す断面図である。
【図６】従来のコーニス照明の照明部材を示す断面図である。
【図７】従来のコーブ照明の照明部材を示す断面図である。
【発明を実施するための形態】
【００１５】
以下、本発明の各実施形態による壁紙貼り付け用の建材とその壁構造について添付図面によって説明する。
図１及び図２は本発明の第一実施形態による壁紙貼り付け用建材１を示すものである。
図１に示す壁紙貼り付け用建材１は照明部材２であり、室内の天井３と壁面４の角部の空間の幅方向全長に亘って取り付けられている。天井３には天井裏の吊木に固定された野縁受け５の下面に野縁６が取り付けられ、その下面に天井下地材７が固定されている。壁面４には壁下地材８が固定されている。天井下地材７と壁下地材８は例えば石膏ボードで形成されている。
【００１６】
天井下地材７と壁下地材８との角部の空間に設置された照明部材２は、例えば断面略コの字をなす凹部形状を呈しており、下向きに設置されている。照明部材２は天面２ｃの両側部に対向する一側面２ａと他側面２ｂを有している。一側面２ａは段付き形状の第一係止部２ｄを有しており、第一係止部２ｄが壁下地材８の上端面に係止し、第一係止部２ｄの先端面は壁下地材８の裏面に当接している。第一係止部２ｄの室内側表面は壁下地材８と面一に形成されている。
【００１７】
また、照明部材２の他側面２ｂは先端側に直角な二方向に分岐された第二係止部２ｅを有しており、第二係止部２ｅの一端は天井下地材７の端面に当接し、他端は天井下地材７の裏面上に延びて野縁６に当接している。そのため、照明部材２の第二係止部２ｅは天井下地材７の二面に当接して係止されている。
照明部材２の天面２ｃには照明器具の受け部１０が設けられ、受け部１０には照明器具として例えばＬＥＤ照明器具１１が取り付けられている。
【００１８】
次に、照明部材２の積層構造について図２により説明する。図２（ａ）に示すように、照明部材２は基材として金属部材、例えば凹部形状のアルミ型材１３を有し、アルミ型材１３の表面には第一接着剤１４を介して壁紙貼着用シート１５が接着されており、積層体１６を形成している。即ち、照明部材２の対向する一側面２ａと他側面２ｂは基材となるアルミ型材１３と第一接着剤１４と壁紙貼着用シート１５とが積層されている。照明部材２の天面２ｃはアルミ型材１３だけで形成されており、アルミ型材１３に照明器具の受け部１０が一体形成されている。
壁紙貼着用シート１５は汎用接着剤として例えば現場で一般的に用いられる澱粉のり１７等を介して壁紙１８を接着可能な部材である。アルミ型材１３は澱粉のり１７を接着剤として壁紙１８を接着することができないため、アルミ型材１３と接着可能な別種の第一接着剤１４を介して壁紙貼着用シート１５を接着した構成を採用し工場等で製造可能である。壁紙貼着用シート１５は澱粉のり１７等で壁紙１８を接着可能である。そして、この構成を備えた照明部材２を工場出荷して、施工現場では経師業者等の職人が、壁紙貼着用シート１５の表面に汎用の澱粉のり１７を塗布して壁紙１８を接着するようにした。
【００１９】
ここで、壁紙貼着用シート１５は例えば図２（ｂ）に示すように一対の紙間強化紙２０Ａ、２０Ｂの間に防湿樹脂層２１を接着した積層シートである。紙間強化紙２０Ａ、２０Ｂとして例えばクラフト紙等を採用できる。防湿樹脂層２１として例えば透湿度が１０ｇ/ｍ２・２４ｈｏｕｒｓ相当のオレフィン系樹脂等を採用できる。また、壁紙貼着用シート１５は例えば防湿シート、石膏ボード原紙等を単体で採用してもよい。これによって壁紙貼着用シート１５は、紙間強化紙２０Ｂの表面に澱粉のり１７を塗布して壁紙１８を接着可能である上に、照明部材２を工場等から出荷して運搬や保管等する際に表面が損傷したり吸湿して劣化したりすることを抑制できる。
第一接着剤１４としてアルミ型材１３等の金属部材と接着可能な溶剤系や工業系の接着剤を用いることができ、例えばポリウレタン樹脂系溶剤形接着剤等を用いることができる。
【００２０】
また、汎用接着剤として澱粉のり１７以外に木工用ボンド等を採用でき、これらは第二接着剤に含まれる。壁紙１８は紙、ビニル、織物等、またはこれらの混合材等でもよく、任意のものを採用できる。
なお、本実施形態では、照明部材２の一側面２ａと他側面２ｂについてのみアルミ型材１３と第一接着剤１４と壁紙貼着用シート１５からなる積層体１６で構成したが、天面２ｃを含む全体を積層体１６で構成してもよい。また、上述した説明では、積層体１６の壁紙貼着用シート１５に澱粉のり１７を塗布して壁紙１８を接着するようにしたが、これに代えて壁紙１８の裏面に澱粉のり１７の層を予め形成した一体シートとし、剥離シートを剥がして接着するようにしてもよい。
【００２１】
本第一実施形態による照明部材２を備えた壁構造は上述の構成を備えており、次に壁紙施工方法について説明する。本第一実施形態による照明部材２は、凹部形状の一側面２ａと他側面２ｂのアルミ型材１３に第一接着剤１４を介して壁紙貼着用シート１５を積層したものを工場で予め加工した。
この照明部材２を壁紙貼り付け用建材として、図１に示すように家屋やビルディング等の施工現場で、室内の例えば天井下地材７と壁下地材８の角部の空間に設置する。そして、照明部材２の天面２ｃを例えば野縁受け５に当接させて一側面２ａの第一係止部２ｄを壁面４の壁下地材８の上端面に係止させてその先端面を壁下地材８の裏面に当接させる。また、照明部材２の他側面２ｂの第二係止部２ｅの一端と他端を天井下地材７の端面と裏面に当接させることで、照明部材２を天井下地材７と壁下地材８に係止させる。
【００２２】
これにより、照明部材２の一側面２ａと壁下地材８は面一に形成されており、屋内側からこれらの面に澱粉のり１７を塗布してその上に壁紙１８を接着させる。また、天井下地材７と照明部材２の他側面２ｂにも澱粉のり１７を塗布してその上に壁紙１８を接着させる。本実施形態による照明部材２では、受け部１０を設けた天面２ｃを除いて室内から目視可能な両側面２ａ、２ｂのアルミ型材１３に第一接着剤１４を介して接着した壁紙貼着用シート１５に澱粉のり１７を介して壁紙１８を接着する。
これによって、照明部材２の両側面２ａ、２ｂに天井下地材７と壁下地材８と共に澱粉のり１７を介して壁紙１８を一体に接着施工することができる。照明部材２の天面２ｃに設けた受け部１０には照明器具としてＬＥＤ照明器具１１を装着する。
こうして照明部材２を設置することができ、受け部１０に設けたＬＥＤ照明器具１１から照射される照明光はその多くが壁面４近傍で下方に照射され、一部は凹部形状をなす照明部材２の両側面２ａ、２ｂや壁下地材８の壁紙１８で反射して室内を照射するため、間接照明することができる。
【００２３】
上述のように本実施形態による照明部材２と壁紙施工方法によれば、基材とするアルミ型材１３に第一接着剤１４を介して壁紙貼着用シート１５を接着した照明部材２を工場等で予め加工したものを現場で取り付け施工し、照明部材２の両側面２ａ、２ｂの壁紙貼着用シート１５の紙間強化紙２０Ｂ上に汎用の澱粉のり１７を介して壁紙１８を接着することができる。
そのため、照明部材２の基材としてアルミ型材１３を用いながらも、現場で特殊で高価な接着剤を用いることなく、汎用の澱粉のり１７を用いて、両側面２ａ、２ｂのアルミ型材１３と石膏ボード製の天井下地材７及び壁下地材８とに連続して壁紙１８を接着施工することができて、作業が簡単且つ容易であり、外観の見栄えと意匠性が良い。
【００２４】
なお、本発明による照明部材２を備えた壁構造と壁紙施工方法は、上述した実施形態に限定されるものではなく、本発明の要旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００２５】
次に本発明の第二実施形態による照明部材２３について図３により説明する。
本第二実施形態による照明部材２３は図３に示すように間接照明用の部材であり、天井下地材７と壁下地材８の角部の空間の幅方向の全長にわたって設置されている。照明部材２３は、基材としてのアルミ型材１３に第一接着剤１４と壁紙貼着用シート１５を積層して形成されている。照明部材２３は受け部１０に保持されたＬＥＤ照明器具１１を包囲する断面四角形状でＬＥＤ照明器具１１を突出させる上面開口を有する支持部２３ａと、支持部２３ａに連結されていて壁下地材８の上端に係合する断面略Ｌ字状の第一係止部２３ｂと、ＬＥＤ照明器具１１からの照明光を反射させる断面略円弧状の反射部２３ｃと、反射部２３ｃの延長上に形成した天井下地材７の端面に係止する断面略Ｌ字状の第二係止部２３ｄとを有している。
【００２６】
なお、照明部材２３において、第一係止部２３ｂと第二係止部２３ｄはアルミ型材１３だけで構成しており、壁紙１８を接着する部分以外には第一接着剤１４と壁紙貼着用シート１５を積層しなくてよい。
そして、照明部材２３は、壁下地材８と連続して支持部２３ａの下面と室内側側面と上部開口までの上面とにおいて、壁紙貼着用シート１５に澱粉のり１７を介して壁紙１８が接着されている。また、照明部材２３の反射部２３ｃと天井下地材７とに連続して壁紙貼着用シート１５に澱粉のり１７を介して壁紙１８が接着されている。本実施形態による照明部材２３では、支持部２３ａの上部開口の奥側を除いて室内から目視可能な支持部２３ａ、反射部２３ｃの表面に壁紙１８が接着されている。
したがって、照明部材２３に設けたＬＥＤ照明器具１１から照射された反射光はその多くが対向して設けた反射部２３ｃで反射して室内の側方や下方を間接的に照明できる。
【００２７】
次に本発明の第三実施形態による照明部材２５について図４により説明する。
本第三実施形態による照明部材２５は図４に示すように間接照明用の部材であり、ベース材２５ａと、本体２６と、ＬＥＤ照明器具２７とからなる。ベース材２５ａ及び本体２６はアルミ型材からなり、壁面４の幅方向の全長にわたって設けられている。ベース材２５ａはベース材取り付け部２５ｂの間で壁面４にねじ等で固定されている。また、本体２６は取付部２６ａでベース材２５ａにローレットまたはナット等で固定されている。本体２６の中央には照明器具としてＬＥＤ照明器具２７を嵌合する凹部２８が天井３に向けて開口して形成されている。凹部２８の開口２８ａ近傍にはＬＥＤ照明器具２７の基部２７ａを挟持する弾性部材としてばね部材２９が取り付けられている。この凹部２８内にＬＥＤ照明器具２７の基部２７ａを嵌合してばね部材２９で挟持している。
【００２８】
そして、アルミ型材からなる本体２６の下面２６ｂと側面２６ｃと外側上面２６ｄと取付部２６ａには第一接着剤１４と壁紙貼着用シート１５とが固定されており、積層体１６を構成する。なお、本体２６において、ベース材２５ａに当接する当接面２６ｅには第一接着剤１４と壁紙貼着用シート１５は接着されていないが、第一接着剤１４と壁紙貼着用シート１５が接着されていてもよい。
【００２９】
そして、ＬＥＤ照明器具２７を設置した本体２６をベース材２５ａに設置した状態で、予め本体２６の下面２６ｂと側面２６ｃと外側上面２６ｄと取付部２６ａに取り付けた積層体１６の上面に澱粉のり１７を介して壁紙１８をそれぞれ接着する。さらに、壁面４から本体２６に渡って連続して壁紙１８を接着することもできる。このような構造とすることで、壁面４と本体２６との間に切れ目がなくなるため意匠性がよくなる。また、ベース材２５ａと壁面４の当接面を除いて壁面４と天井３には澱粉のり１７を介して壁紙１８を接着しているものとする。
本実施形態による照明部材２５では、間接照明であるため本体２６に取り付けたＬＥＤ照明器具２７から照射された照明光は天井３や壁面４で反射して室内を照らすことになる。
【００３０】
次に本発明の第四実施形態による照明部材３２について図５により説明する。
本第四実施形態による照明部材３２は図５に示すように第三実施形態によるものと同一構成を有しており、ベース材２５ａが壁面４に取り付けられ、ベース材２５ａに本体２６が取り付けられている。本体２６は壁面４の幅方向全長にわたって設けられている。しかも、本実施形態では、天井３と壁面４の角部に断面略円弧状の反射部材３３を取り付けている。反射部材３３はアルミ型材で形成されており、ＬＥＤ照明器具２７に対向するアルミ合金製の反射面３３ａには第一接着剤１４と壁紙貼着用シート１５とが予め固定されており、積層体１６を構成している。反射部材３３の反射面３３ａはＬＥＤ照明器具２７に対向する位置に設置されている。なお、反射部材３３は断面略円弧状の形状に限定されることなく、断面略凹曲面形状や屈曲形状等でもよい。
そして、本実施形態では、施工現場においてベース材２５ａの積層体１６の表面である壁紙貼着用シート１５に澱粉のり１７を介して壁紙１８を接着することができる。
なお、上述の実施形態では反射部材３３をベース材２５ａと別体に形成したが、一体に形成してもよい。
【００３１】
本実施形態では、本体２６にＬＥＤ照明器具２７を設けた照明部材３２は屋内から見えない間接照明を構成する。そのため、ＬＥＤ照明器具２７から射出した照明光の多くは反射部材３３の反射面３３ａで反射して室内の下方や側方に照射されて室内を間接照明できる。
しかも、本実施形態ではベース材２５ａ、本体２６と反射部材３３はアルミ型材で製造されており、本体２６の下面２６ｂと側面２６ｃと外側上面２６ｄと取付部２６ａ、そして反射部材３３の反射面３３ａには予め第一接着剤１４と壁紙貼着用シート１５が接着されているため、汎用の澱粉のり１７を介して壁紙１８を接着でき、しかも照明部材３２の壁紙１８は天井３や壁面４と連続して貼着できる。
【００３２】
なお、上述した各実施形態による照明部材２、２３、２５、３２では間接照明において、アルミ型材１３やアルミ合金からなる本体２６や反射部材３３において、室内下方から目視可能な各面に第一接着剤１４と壁紙貼着用シート１５を積層した積層体１６を予め設置するようにしたが、照明部材は必ずしも間接照明でなくてもよく、直接照明する照明部材においてもアルミ合金製の部材からなる目視可能な面や目視できない面等に積層体１６を予め形成することができる。
これらの場合でも、施工現場ではアルミ合金製の照明部材の積層体１６の壁紙貼着用シート１５に汎用接着剤である澱粉のり１７を介して壁紙１８を容易に接着できる。
【００３３】
また、本発明は照明部材２、２３、２５、３２に限定されることなく、例えば装飾部材や他の部品等のアルミ合金部材の面に第一接着剤１４と壁紙貼着用シート１５を設置することができる。壁紙貼着用シート１５は三層構造の例を説明したが、紙間強化紙２０Ａ，２０Ｂだけの一層で構成してもよい。
なお、第二接着剤は澱粉のり１７や木工用ボンド等に限定されることなく、澱粉を主成分とする汎用の接着剤も含まれる。
また、本発明は、壁紙貼り付け用建材１の基材としてアルミ型材１３等のアルミ合金に限定されることなく、スチールや鉄材等、各種の金属部材を用いることができる。また、上述の各実施形態において、照明部材２、２３、２５、３２について天井３または壁面４の幅方向の全長に亘って取り付けた例について説明したが、天井３または壁面４の幅方向の一部にのみ取り付けた構成でもよい。また、公知の別種の接着剤を用いれば、壁紙貼着用シート１５を積層することなく金属部材に直接壁紙１８を貼着することができる。
【符号の説明】
【００３４】
１  壁紙貼り付け用建材
２、２３、２５、３２  照明部材
２ａ  一側面
２ｂ  他側面
３  天井
４  壁面
７  天井下地材
８  壁下地材
１０  受け部
１１  ＬＥＤ照明器具
１３  アルミ型材
１４  第一接着剤
１５  壁紙貼着用シート
１６  積層体
１７  澱粉のり
１８  壁紙  
２６  本体
２７  ＬＥＤ照明器具
３３  反射部材
３３ａ  反射面
【図１】
0006700720.tif 000002
【図２】
0006700720.tif 000003
【図３】
0006700720.tif 000004
【図４】
0006700720.tif 000005
【図５】
0006700720.tif 000006
【図６】
0006700720.tif 000007
【図７】
0006700720.tif 000008